(57)【特許請求の範囲】
【請求項１】
トレーニング信号の受信完了後、無音状態が所定の信号断絶チェック時間続いた場合に、トレーニング結果を相手機に送出するファクシミリ装置であって、
前記相手機との通信状況に応じて前記信号断絶チェック時間の長さを変更する変更部を有し、
前記相手機との通信状況は、自装置の能力情報信号を送出後、相手機から通知される能力確定情報信号を含むＶ．２１変調信号の先頭を受信するまでの応答時間の長さであり、
前記変更部は、前記応答時間が所定の閾値以上の場合は、前記応答時間が前記閾値未満の場合に比べて、前記信号断絶チェック時間を短くする、
ことを特徴とするファクシミリ装置。
【請求項２】
トレーニング信号の受信完了後、無音状態が所定の信号断絶チェック時間続いた場合に、トレーニング結果を相手機に送出するファクシミリ装置であって、
前記相手機との通信状況に応じて前記信号断絶チェック時間の長さを変更する変更部を有し、
前記相手機との通信状況は、前記信号断絶チェック時間を第１時間に設定した状態でＣＦＲ信号をトレーニング結果として相手機に送出した場合に、これに対して相手機からＶ．２１変調信号が送られて来るか否かであり、
ＣＦＲ信号に対して相手機からＶ．２１変調信号が送られてきた場合は、回線断に至る前に、前記変更部で前記信号断絶チェック時間を前記第１時間より短い第２時間に変更して次のトレーニング信号の受信を行う
ことを特徴とするファクシミリ装置。
【発明の詳細な説明】
【技術分野】
【０００１】
本発明は、トレーニング信号の受信完了後、無音状態が所定の信号断絶チェック時間に渡って継続した場合に、トレーニング結果を相手機に送出するファクシミリ装置に関する。
【背景技術】
【０００２】
ファクシミリ通信に使用される通信環境として、IP-PBX（Intenet Protocol Private Branch eXchange）や各種Network-Gateway装置、TA（Terminal Adapter）など、途中の経路にネットワークが介在する環境（デジタル回線)が増えている。このような通信環境では、ネットワークの途中に介在するTA/PBX/Gateway等においてエコーキャンセル処理が施されるが、該処理のために、信号遅延が発生する。一方、アナログ回線では、エコーキャンセル等の処理は施されない。
【０００３】
ファクシミリ装置は、アナログ回線にも対応するために、装置側でエコー・瞬断・信号バッティングの防止対策を実施している。具体的には、トレーニング信号を受信した後、送信機からのトレーニング信号が確実に終了したことを確認するために無音状態の継続時間が信号断絶チェック時間に達するのを待ってからトレーニング結果を相手機に送出する制御において、信号断絶チェック時間を、たとえば、６００ｍｓ等の長い時間に設定することが行われる。なお、規格上、信号断絶チェック時間は７５ｍｓ〜１．５ｓの間で設定すればよい。
【０００４】
ところで、ファクシミリの通信規格である、ＩＴＵ−Ｔ（International Telecommunication Union Telecommunication standardization sector：国際電気通信連合電気通信標準化セクタ）の国際標準規格Ｔ．３０では、信号の再送間隔（３秒）が規定されている。たとえば、送信機は、ＴＳＩ／ＤＣＳ信号（能力確定情報）に続けてトレーニング信号を送出し、その後、再送間隔が経過する前に、相手機からトレーニング結果としてＣＦＲ信号（受信準備完了）を受信すると、フェーズＣに移行して画データの送出を開始する。しかし、送信機は、トレーニング信号の送出終了から３秒近くが経過しても相手機からトレーニング結果が受信されない場合は、再送処理を開始し、再び、ＴＳＩ／ＤＣＳ信号およびトレーニング信号を送出するように動作する。
【先行技術文献】
【特許文献】
【０００５】
【特許文献１】特開２００６−２７０３７７号公報
【発明の概要】
【発明が解決しようとする課題】
【０００６】
アナログ回線でのエコー・瞬断・信号バッティング等の防止対策として信号断絶チェック時間を長時間（たとえば、６００ｍｓ）に設定しているファクシミリ装置が、デジタル回線を使用してファクシミリ通信を行うと、デジタル通信回線での信号遅延が加わるため、受信機が送出したトレーニング結果（ＣＦＲ信号あるいはＦＴＴ信号）が送信機に到達する前に、送信機側で再送処理を開始してしまい、最終的に通信エラーが発生することがある。
【０００７】
本発明は、上記の問題を解決しようとするものであり、信号遅延やエコーキャンセル機能等の特性が相違するデジタル回線とアナログ回線の双方に対応することのできるファクシミリ装置を提供することを目的としている。
【課題を解決するための手段】
【０００８】
かかる目的を達成するための本発明の要旨とするところは、次の各項の発明に存する。
【０００９】
［１］トレーニング信号の受信完了後、無音状態が所定の信号断絶チェック時間続いた場合に、トレーニング結果を相手機に送出するファクシミリ装置であって、
前記相手機との通信状況に応じて前記信号断絶チェック時間の長さを変更する変更部を有し、
前記相手機との通信状況は、自装置の能力情報信号を送出後、相手機から通知される能力確定情報信号を含むＶ．２１変調信号の先頭を受信するまでの応答時間の長さであり、
前記変更部は、前記応答時間が所定の閾値以上の場合は、前記応答時間が前記閾値未満の場合に比べて、前記信号断絶チェック時間を短くする、
ことを特徴とするファクシミリ装置。
【００１０】
上記発明では、通信状況（通信回線で生じる信号遅延時間や遅延の影響を受けて相違が生じる信号のやり取り状況等）に応じて、トレーニング信号の終了を判断するための信号断絶チェック時間を変更する。
【００１３】
上記発明では、応答時間が閾値以上の場合に設定する信号断絶チェック時間を、応答時間が閾値未満の場合に設定する信号断絶チェック時間より短くする。すなわち、応答時間が閾値以上ならばデジタル回線、閾値未満ならばアナログ回線と判断したことに相当する。
【００１４】
［２］トレーニング信号の受信完了後、無音状態が所定の信号断絶チェック時間続いた場合に、トレーニング結果を相手機に送出するファクシミリ装置であって、
前記相手機との通信状況に応じて前記信号断絶チェック時間の長さを変更する変更部を有し、
前記相手機との通信状況は、前記信号断絶チェック時間を第１時間に設定した状態でＣＦＲ信号をトレーニング結果として相手機に送出した場合に、これに対して相手機からＶ．２１変調信号が送られて来るか否かであり、
ＣＦＲ信号に対して相手機からＶ．２１変調信号が送られてきた場合は、回線断に至る前に、前記変更部で前記信号断絶チェック時間を前記第１時間より短い第２時間に変更して次のトレーニング信号の受信を行う
ことを特徴とするファクシミリ装置。
【００１５】
上記発明では、トレーニング結果（ＣＦＲ）に対して相手機からＶ．２１変調信号が送られてくるという通信状況になった場合に、相手機がトレーニング結果と取りこぼしたと判断して、信号断絶チェック時間を短く変更して次回のトレーニングを行う。
【発明の効果】
【００１６】
本発明に係るファクシミリ装置によれば、信号遅延やエコーキャンセル機能等の特性が相違するデジタル回線とアナログ回線の双方に対応して、正常な通信を確保することができる。
【図面の簡単な説明】
【００１７】
【図１】本発明の実施の形態に係るファクシミリ装置の概略構成を示すブロック図である。
【図２】ファクシミリ通信における正常な通信手順（フェーズＢ）を示すシーケンス図である。
【図３】ファクシミリ通信における通信手順（フェーズＢ）であって通信回線で生じる遅延が大きい場合にトレーニング結果を送信機が取り損なうケースを示すシーケンス図である。
【図４】本発明の実施の形態に係るファクシミリ装置が通信回線の信号遅延時間を計測するタイミングを示す図である。
【図５】信号遅延時間に応じて信号断絶チェック時間をｔ１とした場合およびｔ２とした場合を示すシーケンス図である。
【図６】信号遅延時間が閾値Ｔ以上の場合に信号断絶チェック時間を短く（ｔ１；２００ｍｓ）変更することで図３の障害が回避された様子を示す図である。
【図７】受信機として動作する本実施の形態に係るファクシミリ装置が、信号断絶チェック時間を切り替える処理を示す流れ図である（第１方法）。
【図８】送信機が再送間隔の経過前に受信機側からのトレーニング結果を受信できなかった場合に、再びＶ．２１変調信号によって能力確定情報を送出する様子を示す図である。
【図９】受信機として動作する本実施の形態に係るファクシミリ装置が、信号断絶チェック時間を切り替える処理を示す流れ図である（第２方法）。
【発明を実施するための形態】
【００１８】
以下、図面に基づき本発明の実施の形態を説明する。
【００１９】
図１は、本発明の実施の形態に係るファクシミリ装置１０の概略構成を示すブロック図である。ファクシミリ装置１０は、デジタル回線やアナログ回線で構成された通信回線を通じて他のファクシミリ装置１０と接続される。ファクシミリ装置１０は、当該ファクシミリ装置１０の動作を統括制御するＣＰＵ（Central Processing Unit）１１にバス１２を介してＲＯＭ（Read Only Memory）１３と、ＲＡＭ（Random Access Memory）１４と、ハードディスク装置１５と、不揮発メモリ１６と、画像処理部１７と、スキャナ部２１と、プリンタ部２２と、表示部２３と、操作部２４と、ネットワークＩ／Ｆ部２５と、モデム２６とを接続して構成される。
【００２０】
ＲＯＭ１３は各種のプログラムや固定データが格納された読み出し専用メモリである。ＣＰＵ１１がＲＯＭ１３に格納されているプログラムに従って処理を実行することによってファクシミリ装置１０としての各機能が実現される。ＲＡＭ１４はＣＰＵ１１がプログラムを実行する際に各種のデータを一時的に格納するワークメモリや画データを格納する画像メモリ、通信用のバッファメモリ等として使用される。
【００２１】
ハードディスク装置１５は大容量の不揮発記憶装置であり、送信予約されたジョブやその画像データ、他のファクシミリ装置１０から受信した画像データの一時記憶や保存などに使用される。
【００２２】
不揮発メモリ１６は、電源をオフしても記憶内容が保持されるメモリであり、ユーザ情報や各種の設定情報などが登録される。
【００２３】
画像処理部１７は、画像データの縮小や解像度変換、符号化、復号化などの処理を行う。
【００２４】
スキャナ部２１は、原稿を光学的に読み取って画像データを取得する機能を果たす。スキャナ部２１は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００２５】
プリンタ部２２は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の方式のプリンタであっても構わない。
【００２６】
表示部２３は、液晶ディスプレイなどで構成され、操作画面、設定画面などの各種の画面を表示する。操作部２４は、スタートキー、ストップキー、テンキーなどの各種のボタン類と、液晶ディスプレイの表面に設けられて押下された座標位置を検出するタッチパネルなどで構成され、ユーザがファクシミリ装置１０に対して行う各種の操作を受け付ける。
【００２７】
ネットワークＩ／Ｆ部２５は、ＬＡＮ（Local Area Network）やインターネットなどのネットワークを通じて外部端末と通信する機能を果たす。モデム２６は、デジタル信号をアナログ変調信号に変換したりその逆変換をしたりする機能を果たす。
【００２８】
ＣＰＵ１１はプログラムを実行することで、通信状況判断部３１および変更部３２の機能を果たす。通信状況判断部３１は、相手機との通信状況を判断し、変更部３２は、通信状況判断部３１による通信状況の判断結果に応じて、トレーニング信号に関する信号断絶チェック時間の長さを変更する。
【００２９】
ファクシミリ通信における正常な通信手順を図２に基づいて説明する。ここでは、通信が確立した後のフェーズＢについて説明する。受信機は、自機の能力（解像度や原稿サイズ、最大通信速度など）を示す受信機能力情報（ＣＳＩ（Called Subscriber Identification）／ＤＩＳ）を送信機に向けて送出する。
【００３０】
これを受けた送信機は、自機に設定されている送信条件（通信速度や解像度など）と受信機能力情報によって認識した受信機側の能力とから、解像度などの通信モードを決定し、該決定した通信モードを表した能力確定情報（ＴＳＩ（Transmitting Subscriber Identification）／ＤＣＳ（Digital Command Signal））を受信機に向けて送信する。その後、さらに送信機は通信回線の状態を試すためのトレーニング信号（ＴＣＦ）を受信機に向けて送信する。
【００３１】
なお、受信機から送信機に向けて送出した信号、および、送信機が受信機に向けて送信した信号はそれぞれ、途中の通信回線を通る間に遅延が生じて相手機に到達する。
【００３２】
受信機は、トレーニング信号を所定時間受信することによって通信回線の状態が確認できたらトレーニング信号の受信完了となる。その後は、トレーニング信号の終了を監視し、無音状態が予め定めた信号断絶チェック時間だけ継続したとき、トレーニング信号の終了を認識する。信号断絶チェック時間は、瞬断をトレーニング信号の終了と誤認しないための時間であり、アナログ回線で生じるエコーの影響等を考慮して、たとえば、６００ｍｓ等の時間に設定される。なお、Ｔ.３０の規格では、信号断絶チェック時間は７５ｍｓ〜１．５秒の間であればよいとされている。
【００３３】
受信機は、信号断絶チェック時間以上の無音状態の継続によってトレーニング信号の終了を認識したら、トレーニング結果を送信機に向けて送出する。たとえば、正常にトレーニング信号を受信して受信準備が完了した場合はトレーニング結果としてＣＦＲ（Confirmation To Receive）信号を送出し、トレーニングに失敗した場合はＦＴＴ信号を送出する。
【００３４】
送信機は、トレーニング信号の送出終了後、規定の再送間隔（３秒）が経過する前に受信機からトレーニング結果としてＣＦＲ信号を受信した場合は、フェーズＢを終了させ、フェーズＣに移行して画データを送出する。
【００３５】
図３は、再送間隔が経過する前に受信機からのトレーニング結果を受信できなかった場合を例示している。図３は、図２に比べて、通信回線で生じる遅延が大きい。そのため、受信機が送信機に向けて送出したトレーニング結果は、送信機がトレーニング信号の送出を終えてから再送間隔の３秒が経過した後に送信機に到達する。送信機は、再送間隔が経過する前に受信機からトレーニング結果を受信できなかったので、能力確定情報およびトレーニング信号を再送する。通信開始から所定時間が経過してトレーニング結果を正常に受信できなかった場合、通信エラーとなって、回線が切断される。
【００３６】
本発明は、図３に示すような、通信回線で生じる遅延によって、送信機側が受信機から送られてきたトレーニング結果を取りこぼすといった障害を防止するものである。本発明の実施の形態に係るファクシミリ装置１０では、相手機との通信状況、特に通信回線で生じる遅延の状況に応じて、信号断絶チェック時間の長さを変更する。通信状況を判断する方法には、（１）信号遅延時間を計測して判断する第１方法、（２）トレーニング結果に対して送信機側から送られて来る信号を観察して判断する第２方法、があり、これらについてそれぞれ説明する。
【００３７】
＜第１方法＞
受信機は、図４に示すように、受信機能力情報（ＤＩＳ（Digital Identification Signal）信号）を送出した後、送信機から送られて来る能力確定情報（ＤＳＣ）を含むＶ．２１変調信号の受信が開始されるまでの無音区間の長さを、この通信回線で生じる信号遅延時間として計測する。
【００３８】
そして、信号遅延時間が、予め定めた時間（閾値Ｔ，たとえば２秒）以上の場合は、ネットワーク機器の介在する通信環境（デジタル回線）であると判断して、トレーニング信号受信完了後の信号断絶チェック時間を、信号遅延時間が閾値Ｔ未満の場合に設定する信号断絶チェック時間より短い時間に設定する。ここでは、信号遅延時間が閾値Ｔ未満の場合に設定する信号断絶チェック時間ｔ１を２００ｍｓ、信号遅延時間が閾値Ｔ以上の場合に設定する信号断絶チェック時間ｔ２を６００ｍｓとする。
【００３９】
図５（ａ）に示すように、受信機は、計測した信号遅延時間が閾値Ｔ（２秒）以上の場合は、信号断絶チェック時間をｔ１（２００ｍｓ）に設定し、トレーニング信号の受信完了後、無音状態がｔ１（２００ｍｓ）継続したときトレーニング信号の終了と判断して、トレーニング結果を送信する。
【００４０】
一方、図５（ｂ）に示すように、受信機は、計測した信号遅延時間が閾値Ｔ（２秒）未満の場合は、信号断絶チェック時間をｔ２（６００ｍｓ）に設定し、トレーニング信号の受信完了後、無音状態がｔ２（６００ｍｓ）継続したときトレーニング信号の終了と判断して、トレーニング結果を送信する。
【００４１】
図６は、信号遅延時間が閾値Ｔ以上の場合に信号断絶チェック時間を短く（ｔ１；２００ｍｓ）変更することで図３に示す障害が回避された様子を示している。信号断絶チェック時間を短くすることで、受信機が早期にトレーニング結果を送出するようになるので、通信回線での遅延が大きくても、再送間隔（３秒）の経過前に、トレーニング結果が送信機に到達するようになる。図６の例では、送信機がトレーニング結果（ＣＦＲ）を受信した結果、正常にフェーズＣに移行している。
【００４２】
デジタル回線の場合は、途中にある各種のネットワーク機器は、エコー対策のために、データを一旦バッファに入れてから送出する等の処理を行うので、その分の遅延が発生する。しかし、デジタル回線ではネットワーク機器でエコー対策を行っているため、ファクシミリ装置１０側でのエコー対策は不要となり、その分、信号断絶チェック時間を短く設定することができる。
【００４３】
一方、アナログ回線の場合は、遅延は僅かで問題にならないが、エコー対策をファクシミリ装置１０側で行う必要があるため、従来通り、信号断絶チェック時間を長くすることが望ましい。
【００４４】
そこで、ファクシミリ装置１０は、受信機として動作する場合に、受信機能力情報を送信してから、能力確定情報を含むＶ．２１変調信号を受信するまでの間の無音時間（信号遅延時間）を計測し、これが閾値以上の場合は、今回の通信で使用する通信回線がデジタル回線であると判断して、信号断絶チェック時間をｔ１（２００ｍｓ）に設定し、計測した信号遅延時間が閾値未満の場合は、今回の通信で使用する通信回線がアナログ回線であると判断して、信号断絶チェック時間をｔ２（６００ｍｓ）に設定する。
【００４５】
図７は、受信機として動作するファクシミリ装置１０が信号断絶チェック時間を切り替える処理を示す流れ図である。受信機能力情報（ＤＩＳ信号）を送出したら（ステップＳ１０１）、Ｖ．２１変調信号（プリアンブル）が検出されるか否かを監視し（ステップＳ１０２）、検出されなければ（ステップＳ１０２；Ｎｏ）、無音計測時間をカウントアップする（ステップＳ１０３）。
【００４６】
Ｖ．２１変調信号（プリアンブル）が検出されたら（ステップＳ１０２；Ｙｅｓ）、無音計測時間のカウントアップを停止させ、その時点での無音計測時間（信号遅延時間）が閾値Ｔ以上か否かを判断する（ステップＳ１０４）。無音計測時間が閾値Ｔ以上ならば（ステップＳ１０４；Ｙｅｓ）、信号断絶チェック時間をｔ１（２００ｍｓ）に設定して（ステップＳ１０５）、ステップ１０７に移行する。無音計測時間が閾値Ｔ未満ならば（ステップＳ１０４；Ｎｏ）、信号断絶チェック時間をｔ２（６００ｍｓ）に設定して（ステップＳ１０６）、ステップ１０７に移行する。
【００４７】
ステップ１０７では、トレーニング信号の受信完了を待ち（ステップＳ１０７；Ｎｏ）、トレーニング信号の受信が完了したら（ステップＳ１０７；Ｙｅｓ）、無音状態で信号断絶チェック時間（ｔ１またはｔ２）が経過したか否かを判断する（ステップＳ１０８）。無音状態で信号断絶チェック時間が経過したら（ステップＳ１０８；Ｙｅｓ）、トレーニング結果を送出して（ステップＳ１０９）、本処理を終了する。
【００４８】
＜第２方法＞
図８に示すように、送信機は、再送間隔（３秒）が経過する前に受信機側からトレーニング結果を受信できなかった場合、再び、Ｖ．２１変調信号によって能力確定情報を送出する。一方、受信機側からトレーニング結果を再送間隔の経過前に正常に送信機が受信した場合、送信機は、フェーズＣに移行し、Ｖ．１７変調信号等の高速信号により画データを送出する。
【００４９】
そこで、受信機は、トレーニング結果を送出後、送信機からの画データの受信を待機しつつ、Ｖ．２１変調信号が到来するか否かを監視し、Ｖ．２１変調信号のプリアンブルを検出したら、受信機が送出したトレーニング結果を送信機が再送間隔（３秒）の経過前に受信できなかったと判断する。
【００５０】
トレーニング結果を受信できない要因には、通信回線で生じる遅延のほか、パケットロスなどもあるが、遅延が要因であれば、信号断絶チェック時間を短くすることで、次回のトレーニングにおいて送信機は、再送間隔の経過前にトレーニング結果を受信すると考えられる。
【００５１】
そこで、受信機は、当初は、信号断絶チェック時間をｔ２（６００ｍｓ）に設定しておき、トレーニング結果を送出した後、送信機からＶ．２１変調信号のプリアンブルが到来するか否かを監視する。そして、Ｖ．２１変調信号のプリアンブルを検出したら、信号断絶チェック時間をｔ１（２００ｍｓ）に変更し、該信号断絶チェック時間ｔ１を用いて次回のトレーニング信号の終了を判断して、トレーニング結果を送信する。
【００５２】
図９は、第２方法を実施するファクシミリ装置１０が受信機として動作する場合の処理を示す流れ図である。なお、トレーニング前の手順に係る動作は図示省略してある。信号断絶チェック時間の初期値をｔ２（６００ｍｓ）に設定する（ステップＳ２０１）。そして、トレーニング信号の受信を開始し、トレーニング信号の受信が完了したら（ステップＳ２０２；Ｙｅｓ）、無音状態で信号断絶チェック時間ｔ２（６００ｍｓ）が経過したか否かを判断する（ステップＳ２０３）。無音状態で信号断絶チェック時間ｔ２が経過したら（ステップＳ２０３；Ｙｅｓ）、トレーニング結果を送出する（ステップＳ２０４）。その後、送信機側から高速信号が到来したら（ステップＳ２０５；Ｎｏ、Ｓ２０６；Ｙｅｓ）、フェーズＣに移行して画データを受信する（ステップＳ２０７）。
【００５３】
トレーニング結果を送出後、送信機からのＶ．２１変調信号のプリアンブルを検出した場合は（ステップＳ２０５；Ｙｅｓ）、通信が始まってから３５秒以内に能力交換が成立しなければ回線を切断するという規定があるため、この規定により回線を切断すべきタイミングか否かを判断する（ステップＳ２０８）。回線切断のタイミングが到来した場合は（ステップＳ２０８；Ｙｅｓ）、通信エラーとして回線を切断して（ステップＳ２０９）、本処理を終了する。
【００５４】
回線切断のタイミングでなければ（ステップＳ２０８；Ｎｏ）、通信が始まってから３５秒以内に能力交換が成立しなければ回線を切断するという規定に照らして、次に行うトレーニングが最終回になるか否かを判断し（ステップＳ２１０）、次に行うトレーニングが最終回でなければ（ステップＳ２１０；Ｎｏ）、ステップ２０２に戻って処理を継続する。この場合、信号断絶チェック時間はｔ２のまま、次のトレーニングが行われる。
【００５５】
次に行うトレーニングが回線切断前の最終回になるならば（ステップＳ２１０；Ｙｅｓ）、信号断絶チェック時間をｔ１（２００ｍｓ）に変更して（ステップＳ２１１）、ステップ２０２に戻って処理を継続する。この場合、信号断絶チェック時間ｔ１（２００ｍｓ）で、次のトレーニングが行われる。
【００５６】
通信回線がデジタル回線で遅延が大きい場合には、信号断絶チェック時間をｔ１に変更したことで、最終回のトレーニングではトレーニング結果に対して高速信号が検出されるようになり（ステップＳ２０６；Ｙｅｓ）、通信エラーとならずに、通信が継続される。
【００５７】
なお、信号断絶チェック時間の初期値をｔ１としておき、この状態で再送等の通信障害が生じた場合に、信号断絶チェック時間をｔ２に変更するようにしてもよい。たとえば、初期値を信号断絶チェック時間ｔ１（２００ｍｓ）とした場合、通信回線での遅延が少ない状況で相手機がモデムのセットアップに時間を要したような場合に、相手機でトレーニング結果の受け取り準備が完了する前にトレーニング結果が相手機に到達してトレーニング結果を受け取れないといった事態が生じ得る。この場合は、信号断絶チェック時間をｔ２（６００ｍｓ）に変更することで、正常に通信可能になる。
【００５８】
なお、信号断絶チェック時間をｔ２に設定している状況でステップＳ２０５；Ｎｏとなった場合は、通信回線は遅延の少ないアナログ回線であると判断し、信号断絶チェック時間をｔ２に設定している状況でステップＳ２０５；Ｙｅｓとなった場合は、通信回線は遅延の多いデジタル回線であると判断したことになる。
【００５９】
信号断絶チェック時間の変更は、次のトレーニングが回線切断前の最終回となる場合に限定されず、たとえば、ステップＳ２０５；Ｙｅｓとなった時点で直ちに信号断絶チェック時間を変更してもよい。
【００６０】
このように、本発明では、通信状態（信号遅延時間やトレーニング結果に対して送信機から遅れてくる信号）に応じて信号断絶チェック時間を変更することにより、通信回線で生じる遅延の状況に適切に対応して正常な通信を確保することができる。
【００６１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６２】
実施の形態で示した信号断絶チェック時間ｔ１（２００ｍｓ）、ｔ２（６００ｍｓ）は一例であり、ｔ１＜ｔ２の関係にあり、かつ７５ｍｓ〜１．５Ｓの範囲にあれば、ｔ１、ｔ２は適宜の値にすればよい。
【符号の説明】
【００６３】
１０…ファクシミリ装置
１１…ＣＰＵ
１２…バス
１３…ＲＯＭ
１４…ＲＡＭ
１５…ハードディスク装置
１６…不揮発メモリ
１７…画像処理部
２１…スキャナ部
２２…プリンタ部
２３…表示部
２４…操作部
２５…ネットワークＩ／Ｆ部
２６…モデム
３１…通信状況判断部
３２…変更部
【図１】
0006638483.tif 000002
【図２】
0006638483.tif 000003
【図３】
0006638483.tif 000004
【図４】
0006638483.tif 000005
【図５】
0006638483.tif 000006
【図６】
0006638483.tif 000007
【図７】
0006638483.tif 000008
【図８】
0006638483.tif 000009
【図９】
0006638483.tif 000010